(57)【要約】【課題】  壁面やドアに取り合う場合、あるいはＬ字形、Ｔ字形又は十字形に連結する場合に用い、変位を吸収する機能を備えた耐震性間仕切装置における連結変位吸収ポスト装置を提供する。【解決手段】  耐震性パネル５が壁面４やドアユニットに連続する箇所、あるいは複数の耐震性パネルがＬ字形、Ｔ字形又は十字形に連結する箇所に設置し、側面の異なる位置に開口された上下方向に延びた少なくとも２以上の嵌合溝８を有するポスト２と、支柱部９と該支柱部の一側に沿って配置する可動部１０とを備え、該支柱部に対して可動部を側方突出方向へ弾性付勢してなる変位吸収ユニット３と、よりなり、ポストの少なくとも１つの嵌合溝内に、変位吸収ユニットの支柱部を固定して、可動部が該ポストの側面から突出する状態とし、該可動部を壁面、ドアユニット又は耐震性パネルの端部に圧接してなる。【選択図】        図１
2016033291.tif 000002
【特許請求の範囲】
【請求項１】
耐震性の吊り天井構造体とフロア構造体との間に、複数の耐震性パネルと適宜ドアユニットを組み合わせて構築してなる耐震性間仕切装置において、
前記耐震性パネルが壁面やドアユニットに連続する箇所、あるいは複数の耐震性パネルがＬ字形、Ｔ字形又は十字形に連結する箇所に設置し、側面の異なる位置に開口された上下方向に延びた少なくとも２以上の嵌合溝を有するポストと、
支柱部と該支柱部の一側に沿って配置する可動部とを備え、該支柱部に対して可動部を側方突出方向へ弾性付勢してなる変位吸収ユニットと、
よりなり、前記ポストの少なくとも１つの嵌合溝内に、前記変位吸収ユニットの支柱部を固定して、前記可動部が該ポストの側面から突出する状態とし、該可動部を壁面、ドアユニット又は耐震性パネルの端部に圧接してなることを特徴とする耐震性間仕切装置における連結変位吸収ポスト装置。
【請求項２】
前記ポストは、複数の前記嵌合溝を備えた単一構造物である請求項１記載の耐震性間仕切装置における連結変位吸収ポスト装置。
【請求項３】
前記ポストは、それぞれ前記嵌合溝を１つ備えた複数の単位ポストを、連結ポストを介して所定角度に連結した複合構造物である請求項１記載の耐震性間仕切装置における連結変位吸収ポスト装置。
【請求項４】
前記ポストは、それぞれ前記嵌合溝を１つ備えた複数の単位ポストを、所定角度に直接連結した複合構造物である請求項１記載の耐震性間仕切装置における連結変位吸収ポスト装置。
【請求項５】
前記変位吸収ユニットは、前記支柱部の表裏両側に設けた一対の側面板と前記可動部の表裏両側に設けた一対の外壁板とを内外に重なるように遊嵌するとともに、前記支柱部と可動部とをガイド棒と圧縮コイルばねとで、該支柱部に対して可動部を横方向へ変位可能に連繋し、該支柱部に対して可動部を側方突出方向へ弾性付勢してなる請求項１〜４何れか１項に記載の耐震性間仕切装置における連結変位吸収ポスト装置。
【発明の詳細な説明】
【技術分野】
【０００１】
本発明は、耐震性間仕切装置における連結変位吸収ポスト装置に係わり、更に詳しくは壁面やドアに取り合う場合、あるいはＬ字形、Ｔ字形又は十字形に連結する場合に用い、変位を吸収する機能を備えた耐震性間仕切装置における連結変位吸収ポスト装置に関するものである。
【背景技術】
【０００２】
通常、オフィスビル等は、複数のスラブで各階が形成され、上スラブの下面側には吊り天井構造体が構築され、下スラブの上面側にはフロア構造体が構築され、構造壁で囲まれた空間を間仕切装置で適宜に区画されている。通常、吊り天井構造体は、上スラブから垂下した吊支部材（吊りボルト）によって、縦横に張り巡らした天井支持レールを吊下げ状に保持し、該天井支持レールに天井パネルの周囲を係止する構造である。このような吊り天井構造体を有する室内に天井パネルからフロア構造体にわたって、間仕切パネルやドアパネルを組み合わせた間仕切装置を設置する。従来、吊り天井構造体に対する耐震基準はなかったが、東日本大震災によって多くの吊り天井構造体が落下し、破損したことを受けて、天井の耐震性を高める機運が高まってきた。このような間仕切装置においても、層間変形角が１／６０〜１／４０、震度７、天井面加速度が２．２Ｇに耐えることが必要と考えられる。
【０００３】
一般に、間仕切装置は、吊り天井構造体の下面に取付けた天レールとフロア構造体の上面に取付けた地レールとの間に、複数の支柱を所定間隔毎に立設するとともに、支柱間にそれぞれパネル板を装着して複数の支柱とパネル板が一連化したパネル構造体を形成している。地震時の上下スラブの層間変位に対してパネル構造体は、面内方向及び面外方向に大きな力を受け、特に面内方向に対して変位が生じる。耐震性パネルが壁面やドアに連続する場合、あるいはＬ字形、Ｔ字形又は十字形に連結する場合、変位を吸収する機能を備えた端部パネルを設ける必要があるが、この端部パネルには補強材や複雑な形状、加工を要する支柱部材が必要になる。
【０００４】
例えば、特許文献１には、固定壁面に直接又は間仕切パネルを介して固定した縦枠体の表裏両側に、それぞれ免震パネル板の一側を蝶番にて回動可能に蝶着するとともに、両免震パネル板の他側端縁を内方へ鋭角に折曲して内向き傾斜面を形成し、中間に設置する間仕切パネル側端に取付けた端部材の表裏両側部に、前記内向き傾斜面と平行になるように外向き傾斜面を形成し、前記内向き傾斜面と外向き傾斜面を突き合い当止した状態を維持すべく、両免震パネル板間であって中間の間仕切パネル側端に直接又は他の部材を介して取付けたマグネットキャッチにて両免震パネル板を互いに接近する方向に引き付けてなる免震対応パネルが開示されている。この場合、地震による層間変位を、免震パネルを開き、中間に位置する間仕切パネルに伝達しないようにするという発想である。また、間仕切パネル自体は、支柱の上部に上方へ弾性付勢した押圧杆を設けるとともに、巾木を下方へ弾性付勢した構造とし、前記押圧杆を天レールに弾性圧接するとともに、巾木を床面に弾性圧接し、層間変位を吸収するように構成している。しかし、特許文献１に記載のものは、中間に設ける間仕切パネル自体にも弾性変形可能な変位吸収機構を設けているので、大幅なコスト高となる。
【先行技術文献】
【特許文献】
【０００５】
【特許文献１】特許第３１８６２７５号公報
【発明の概要】
【発明が解決しようとする課題】
【０００６】
そこで、本発明が前述の状況に鑑み、解決しようとするところは、壁面やドアに取り合う場合、あるいはＬ字形、Ｔ字形又は十字形に連結する場合に用い、変位を吸収する機能を備えた耐震性間仕切装置における連結変位吸収ポスト装置を提供する点にある。
【課題を解決するための手段】
【０００７】
本発明は、前述の課題解決のために、耐震性の吊り天井構造体とフロア構造体との間に、複数の耐震性パネルと適宜ドアユニットを組み合わせて構築してなる耐震性間仕切装置において、前記耐震性パネルが壁面やドアユニットに連続する箇所、あるいは複数の耐震性パネルがＬ字形、Ｔ字形又は十字形に連結する箇所に設置し、側面の異なる位置に開口された上下方向に延びた少なくとも２以上の嵌合溝を有するポストと、支柱部と該支柱部の一側に沿って配置する可動部とを備え、該支柱部に対して可動部を側方突出方向へ弾性付勢してなる変位吸収ユニットと、よりなり、前記ポストの少なくとも１つの嵌合溝内に、前記変位吸収ユニットの支柱部を固定して、前記可動部が該ポストの側面から突出する状態とし、該可動部を壁面、ドアユニット又は耐震性パネルの端部に圧接してなることを特徴とする耐震性間仕切装置における連結変位吸収ポスト装置を構成した（請求項１）。
【０００８】
ここで、前記ポストは、複数の前記嵌合溝を備えた単一構造物である（請求項２）。
【０００９】
あるいは、前記ポストは、それぞれ前記嵌合溝を１つ備えた複数の単位ポストを、連結ポストを介して所定角度に連結した複合構造物である（請求項３）。
【００１０】
あるいは、前記ポストは、それぞれ前記嵌合溝を１つ備えた複数の単位ポストを、所定角度に直接連結した複合構造物である（請求項４）。
【００１１】
そして、前記変位吸収ユニットは、前記支柱部の表裏両側に設けた一対の側面板と前記可動部の表裏両側に設けた一対の外壁板とを内外に重なるように遊嵌するとともに、前記支柱部と可動部とをガイド棒と圧縮コイルばねとで、該支柱部に対して可動部を横方向へ変位可能に連繋し、該支柱部に対して可動部を側方突出方向へ弾性付勢してなることが好ましい（請求項５）。
【発明の効果】
【００１２】
以上にしてなる請求項１に係る発明の耐震性間仕切装置における連結変位吸収ポスト装置は、耐震性の吊り天井構造体とフロア構造体との間に、複数の耐震性パネルと適宜ドアユニットを組み合わせて構築してなる耐震性間仕切装置において、前記耐震性パネルが壁面やドアユニットに連続する箇所、あるいは複数の耐震性パネルがＬ字形、Ｔ字形又は十字形に連結する箇所に設置し、側面の異なる位置に開口された上下方向に延びた少なくとも２以上の嵌合溝を有するポストと、支柱部と該支柱部の一側に沿って配置する可動部とを備え、該支柱部に対して可動部を側方突出方向へ弾性付勢してなる変位吸収ユニットと、よりなり、前記ポストの少なくとも１つの嵌合溝内に、前記変位吸収ユニットの支柱部を固定して、前記可動部が該ポストの側面から突出する状態とし、該可動部を壁面、ドアユニット又は耐震性パネルの端部に圧接してなるので、壁面やドアに取り合う場合、あるいはＬ字形、Ｔ字形又は十字形に連結する場合に用いれば、特殊な変位吸収機能を備えた端部パネルを用いることなく、標準の耐震性パネルのみを用いて様々な態様の耐震性間仕切装置を構築することができ、製作コストが低くなり、また施工も容易で、施工コストが低減できる。
【００１３】
請求項２によれば、前記ポストは、複数の前記嵌合溝を備えた単一構造物であるので、最小部品点数で連結変位吸収ポスト装置を構成することができ、施工性にも優れている。
【００１４】
請求項３によれば、前記ポストは、それぞれ前記嵌合溝を１つ備えた複数の単位ポストを、連結ポストを介して所定角度に連結した複合構造物であるので、必要数だけ単位ポストを用いて要求される態様に組み立てることができ、材料コストの低減化を図れる。
【００１５】
請求項４によれば、前記ポストは、それぞれ前記嵌合溝を１つ備えた複数の単位ポストを、所定角度に直接連結した複合構造物であるので、汎用性は犠牲になるが、最小部品点数、最小材料コストで実現する実現することができる。
【００１６】
請求項５によれば、前記変位吸収ユニットは、前記支柱部の表裏両側に設けた一対の側面板と前記可動部の表裏両側に設けた一対の外壁板とを内外に重なるように遊嵌するとともに、前記支柱部と可動部とをガイド棒と圧縮コイルばねとで、該支柱部に対して可動部を横方向へ変位可能に連繋し、該支柱部に対して可動部を側方突出方向へ弾性付勢してなるので、支柱部と可動部を簡単且つ確実に分離しないように連繋することができ、また支柱部と可動部の間に隙間が生じることがなく、間仕切装置の一部を構成して室内を区画することができる。
【図面の簡単な説明】
【００１７】
【図１】本発明の耐震性間仕切装置における連結変位吸収ポスト装置の使用例を示す横断平面図である。
【図２】変位吸収ユニットの分解斜視図である。
【図３】同じく変位吸収ユニットの分解状態の横断平面図である。
【図４】同じく変位吸収ユニットの組み立て状態の横断平面図である。
【図５】変位吸収ユニットと耐震性パネルとの取り合い構造で耐震性パネルの支柱に設けた縦枠部材を介して変位吸収ユニットを接合した状態を示し、（ａ）は浅い嵌合溝を設けた縦枠部材を用いた場合の横断平面図、（ｂ）は中間深さの嵌合溝を設けた縦枠部材を用いた場合の横断平面図である。
【図６】変位吸収ユニットと耐震性パネルとの取り合い構造で耐震性パネルの支柱に設けた縦枠部材を介して変位吸収ユニットを接合した状態を示し、（ａ）は最も深い嵌合溝を設けた縦枠部材を用いた場合の横断平面図、（ｂ）は変位吸収ユニットの可動部と支柱を直接接合し、接合部を縦枠部材で覆った場合の横断平面図である。
【図７】ポスト（単一構造物）の第１実施形態を示し、（ａ）は十字形に変位吸収ユニットを配置した場合の簡略平面図、（ｂ）はＬ字形に変位吸収ユニットを配置した場合の簡略平面図、（ｃ）はＴ字形に変位吸収ユニットを配置した場合の簡略平面図、（ｄ）は直線状に変位吸収ユニットを配置した場合の簡略平面図である。
【図８】ポスト（単一構造物）の第２実施形態を示し、（ａ）は十字形のポストに変位吸収ユニットを配置した場合の簡略平面図、（ｂ）はＬ字形のポストに変位吸収ユニットを配置した場合の簡略平面図、（ｃ）はＴ字形のポストに変位吸収ユニットを配置した場合の簡略平面図、（ｄ）は直線状のポストに変位吸収ユニットを配置した場合の簡略平面図である。
【図９】ポスト（複合構造物）の第３実施形態を示し、（ａ）は連結ポストに単位ポストを十字形に連結したポストに変位吸収ユニットを配置した場合の簡略平面図、（ｂ）は連結ポストに単位ポストをＬ字形に連結したポストに変位吸収ユニットを配置した場合の簡略平面図、（ｃ）は連結ポストに単位ポストをＴ字形に連結したポストに変位吸収ユニットを配置した場合の簡略平面図、（ｄ）は連結ポストに単位ポストを直線状に連結したポストに変位吸収ユニットを配置した場合の簡略平面図である。
【図１０】ポスト（複合構造物）の第４実施形態を示し、（ａ）は連結ポストに単位ポストを十字形に連結したポストに変位吸収ユニットを配置した場合の簡略平面図、（ｂ）は連結ポストに単位ポストを１２０度の角度でＬ字形に連結したポストに変位吸収ユニットを配置した場合の簡略平面図、（ｃ）は連結ポストに単位ポストを１２０度の角度でＴ字形に連結したポストに変位吸収ユニットを配置した場合の簡略平面図、（ｄ）は連結ポストに単位ポストを直線状に連結したポストに変位吸収ユニットを配置した場合の簡略平面図である。
【図１１】ポスト（複合構造物）の第５実施形態を示し、２つの単位ポストを１２０度の角度でＬ字形に直接連結したポストに変位吸収ユニットを配置した場合の簡略平面図である。
【発明を実施するための形態】
【００１８】
次に、添付図面に示した実施形態に基づき、本発明を更に詳細に説明する。図１は本発明の耐震性間仕切装置における連結変位吸収ポスト装置の使用例を示し、図２〜図４は変位吸収ユニットを示し、図５及び図６は変位吸収ユニットと耐震性パネルとの取り合い構造で耐震性パネルの支柱に設けた縦枠部材を介して変位吸収ユニットを接合した状態を示し、図７〜図１１はポストの各種実施形態を示し、図中符号１は連結変位吸収ポスト装置、２はポスト、３は変位吸収ユニット、４は壁面、５は耐震性パネル、６は支柱、７は縦枠部材をそれぞれ示している。
【００１９】
本発明に係る耐震性間仕切装置は、上スラブの下面側に構築した耐震性の吊り天井構造体と、下スラブの上面側に構築したフロア構造体との間に、複数の耐震性パネル５，…を直線状あるいはＬ字形、Ｔ字形又は十字形に連結するとともに、適宜ドアユニットを組み合わせて室内空間を区画すべく構築するものである。本発明では、前記耐震性パネルが壁面やドアユニットに連続する箇所、あるいは複数の耐震性パネルがＬ字形、Ｔ字形又は十字形に連結する箇所に連結変位吸収ポスト装置１を設置し、地震時に生じる層間変位に伴う変位を吸収するのである。
【００２０】
本発明の連結変位吸収ポスト装置１は、図１に示すように、側面の異なる位置に開口された上下方向に延びた少なくとも２以上の嵌合溝８，…を有するポスト２と、支柱部９と該支柱部９の一側に沿って配置する可動部１０とを備え、該支柱部９に対して可動部１０を側方突出方向へ弾性付勢してなる変位吸収ユニット３と、よりなり、前記ポスト２の少なくとも１つの嵌合溝８内に、前記変位吸収ユニット３の支柱部９を固定して、前記可動部１０が該ポスト２の側面から突出する状態とし、該可動部１０を壁面４、ドアユニット又は耐震性パネル５の端部に圧接してなるものである。ここで、前記変位吸収ユニット３と耐震性パネル５との取り合い箇所では、該耐震性パネル５の支柱６に設けた縦枠部材７を介して変位吸収ユニット３を接合する。前記壁面４には、前記変位吸収ユニット３の可動部１０を直接接合する。
【００２１】
前記耐震性パネル５を複数連設した構造のパネル構造体には、ロッキング仕様とスライド仕様とがある。ロッキング仕様のパネル構造体は、前記支柱６，６間を少なくとも横桟で一定間隔となるように連結するとともに、該支柱６の上端部は前記吊り天井構造体に取付けた天レール（図示せず）、該支柱６の下端部は前記フロア構造体に敷設した地レール（図示せず）の変位に追従可能とし、前記支柱６，６間にパネル板１１を上方変位可能に係止具１２で係止し、上下スラブの層間変位に対して面内でロッキング変位可能としたものである。ここで、「ロッキング」とは、複数の支柱６，…が平行を保って左右に傾斜し、それに応じてパネル板１１，…も左右に傾斜する動作を示している。
【００２２】
また、スライド仕様のパネル構造体は、前記支柱６の下端部に地レール（図示せず）に沿った方向への移動を許容するスライド手段を設けるとともに、前記支柱６，６間を複数の補強部材（図示せず）で連結して剛性構造のフレームを構成し、前記支柱６，６間にパネル板１１を装着し、上下スラブの層間変位又は平行変位に対して面内で天レールと地レールに対してスライド変位可能としたものである。ここで、「スライド」とは、天レールと地レールで案内されてその長手方向に移動することを意味する。
【００２３】
図１に示した前記ポスト２は、全体が円柱形で、９０度毎に前記嵌合溝８，…を４箇所に設けたアルミ押出し型材からなる単一構造物である。そして、前記ポスト２の嵌合溝８に前記変位吸収ユニット３を支柱部９側から挿入し、該支柱部９を嵌合溝８の底面部にネジ止めし、可動部１０はポスト２の側面から略半分が突出した状態とする。
【００２４】
次に、図２〜図４に基づいて前記変位吸収ユニット３を詳細に説明する。前記変位吸収ユニット３は、アルミ押出し型材からなる支柱部９と該支柱部９の一側に沿って配置する可動部１０とを、ガイド棒１３と圧縮コイルばね１４とで、支柱部９に対して可動部１０を横方向へ変位可能に連繋するとともに、側方突出方向へ弾性付勢した構造である。前記支柱部９は、強度の高い中空杆体部１５の一側面に沿って表裏両側に一対の側面板１６，１６を延設し、側方へ開放した凹溝１７を形成し、前記支柱部９の一側面で前記凹溝１７の底面となる区画板１８の上下部に前記ガイド棒１３を挿通可能な挿通孔１９を形成するとともに、該挿通孔１９と対向する前記中空杆体部１５の他側面に該挿通孔１９よりも大きな逃がし孔２０を形成している。前記可動部１０は、前記支柱部９と略同じ上下長さを有する断面略コ字形の部材であり、外側端部に位置する基端板２１の表裏両側から一対の外壁板２２，２２を延設し、両外壁板２２，２２の内側に前記支柱部９の両側面板１６，１６を受け入れることができるようになっており、そして前記基端板２１の中央部を内側に凹ませて断面をハット型とし、中央部の後退板２３に前記挿通孔１９と対応する位置に取付孔２４を形成している。
【００２５】
前記ガイド棒１３は、金属丸棒であり、両端に螺孔２５，２５を形成している。そして、前記ガイド棒１３の一端を前記可動部１０の後退板２３の内側に当接するとともに、外側から前記取付孔２４に挿通したネジ２６を前記螺孔２５に螺合して固定する。それから、前記ガイド棒１３には前記圧縮コイルばね１４を外挿し、該圧縮コイルばね１４を圧縮状態で該ガイド棒１３の他端部を前記支柱部９の挿通孔１９に通し、前記逃がし孔２０より挿入したネジ２７を前記螺孔２５に螺合する。この初期状態で、前記圧縮コイルばね１４の一端は前記可動部１０の後退板２３の内側に当接し、他端は前記支柱部９の区画板１８の外側に当接するとともに、前記支柱部９の両側面板１６，１６の外側に前記可動部１０の両外壁板２２，２２が重なっている。前記ネジ２７の頭部若しくはワッシャは前記挿通孔１９を通過できない大きさであり、つまり前記挿通孔１９に対して抜止め状態とし、前記支柱部９に可動部１０を分離しないように連繋する作用をする。
【００２６】
ここで、前記支柱部９の表裏両側に設けた一対の側面板１６，１６と前記可動部１０の表裏両側に設けた一対の外壁板２２，２２とを常に内外に重なるように遊嵌した状態にすることが重要である。一方、前記支柱部９に対して、前記圧縮コイルばね１４の弾性力に抗して可動部１０が押し込まれた際には、前記ネジ２７の頭部若しくはワッシャ及びガイド棒１３の端部は、前記逃がし孔２０を干渉することなく通過する。また、前記支柱部９の両側面板１６，１６と前記可動部１０の両外壁板２２，２２が重なった状態で円滑且つガタつきなく変位するようにするために、前記側面板１６，１６の端部外側面に沿ってクッション性を有する摺動部材２８，２８を添設し、前記可動部１０の両外壁板２２，２２の内面と摺接するようにしている。尚、前記摺動部材２８，２８は、前記可動部１０の両外壁板２２，２２の内面に添設しても良い。また、前記可動部１０の基端板２１の外側面に、壁面４などの固定部に当接するためのクッション材２９，２９を両側に添設している。更に、前記ガイド棒１３を固定したネジ２６の頭部は、前記基端板２１の嵌合溝３０内に位置し、端面から突出しないようになっている。尚、前記ネジ２７の頭部若しくはワッシャで、前記ガイド棒１３の端部を区画板１８の挿通孔１９に対して抜止め状態とする構造の他に、該ガイド棒１３の端部にＥリング等の抜止め金具を嵌着することも可能である。
【００２７】
図１に示すように、前記耐震性パネル５に、前記ポスト２に装着した変位吸収ユニット３の可動部１０を圧接する場合、前記耐震性パネル５を構成する端部の支柱６の外側部に縦枠部材７を取付け、該縦枠部材７の外側面に前記可動部１０がクッション材２９，２９を介して圧接している。ここで、前記ポスト２の嵌合溝８の底面部であって、前記変位吸収ユニット３の逃がし孔２０に対応する位置には、少なくとも該逃がし孔２０と同等以上の逃がし孔（図示せず）を形成する必要がある。
【００２８】
図１に示した前記縦枠部材７は、一側面に前記支柱６を受け入れる連結溝３１を設けるとともに、反対側には平面状の接合面３２を形成したものである。前記縦枠部材７は、連結溝３１を支柱６の外側部に嵌合した状態で該支柱６にネジ止めして取り付け、前記接合面３２に前記変位吸収ユニット３の可動部１０を圧接するようになっている。前記縦枠部材７の変形例は図５及び図６に示している。
【００２９】
図５（ａ）に示した縦枠部材７は、浅い嵌合部３３を設けたものであり、該嵌合部３３に前記変位吸収ユニット３の可動部１０の端部を内嵌した状態で、嵌合部３３の底面の接合面３２に前記可動部１０を圧接するのである。また、図５（ｂ）に示した縦枠部材７は、中間深さの嵌合部３３を設けたものであり、該嵌合部３３に前記変位吸収ユニット３の可動部１０の端部をやや深く内嵌した状態で、嵌合部３３の底面の接合面３２に前記可動部１０を圧接するのである。図６（ａ）に示した縦枠部材７は、最も深い嵌合部３３を設けたものであり、該嵌合部３３に前記変位吸収ユニット３の可動部１０の端部を深く内嵌した状態で、嵌合部３３の底面の接合面３２に前記可動部１０を圧接するのである。図６（ｂ）は、前記変位吸収ユニット３の可動部１０と支柱６を直接接合し、接合部を縦枠部材７で覆ったものである。
【００３０】
図７は、第１実施形態の前記ポスト２に変位吸収ユニット３を装着する各種態様を示している。本実施形態のポスト２には、９０度の角度毎に４つの嵌合溝８，…を有し、図７（ａ）は全ての嵌合溝８，…に変位吸収ユニット３，…を装着して十字形に変位吸収ユニット３，…を配置した態様であり、前記耐震性パネル５，…を十字形に連結するなどの連結態様を実現するものである。図７（ｂ）は、９０度に隣り合う嵌合溝８，８に変位吸収ユニット３，３を装着してＬ字形に変位吸収ユニット３，３を配置した態様であり、使用しない嵌合溝８，８には全長にわたってキャップ３４を装着している。同様に、図７（ｃ）は、３つの嵌合溝８，…に変位吸収ユニット３，…を装着してＴ字形に変位吸収ユニット３，…を配置し、残り１つの嵌合溝８にキャップ３４を装着した態様である。図７（ｄ）は、１８０度の位置にある２つの嵌合溝８，８に変位吸収ユニット３，３を装着して直線状に変位吸収ユニット３，３を配置し、残り２つの嵌合溝８，８にキャップ３４，３４を装着した態様である。
【００３１】
図８は第２実施形態の単一構造物からなる各種のポスト２に変位吸収ユニット３を装着する態様を示している。図８（ａ）は、十字形のポスト２Ａの４つの突起部３５，…にそれぞれ設けた嵌合溝８に変位吸収ユニット３を配置した態様を示している。図８（ｂ）は、Ｌ字形のポスト２Ｂの２つの突起部３５，３５にそれぞれ設けた嵌合溝８，８に変位吸収ユニット３を配置した態様を示している。図８（ｃ）は、Ｔ字形のポスト２Ｃの３つの突起部３５，…にそれぞれ設けた嵌合溝８に変位吸収ユニット３を配置した態様を示している。図８（ｄ）は、直線状のポスト２Ｄの両突起部３５，３５に設けた嵌合溝８，８にそれぞれ変位吸収ユニット３を配置した態様である。この場合、４種類のポスト２を用意する必要があるが、図８（ｄ）の態様は殆ど使わないので、事実上３種類のポスト２を用意すれば足りる。
【００３２】
図９に示した第３実施形態の複合構造物からなるポスト２は、断面が正方形の連結ポスト３６と、嵌合溝８を備えた２〜４個の単位ポスト３７，…から構成され、前記連結ポスト３６の適宜な２面〜４面に前記単位ポスト３７を連結し、各単位ポスト３７の嵌合溝８に変位吸収ユニット３を装着するものである。図９（ａ）は、前記連結ポスト３６の４面に単位ポスト３７，…を連結して十字形のポスト２を構成し、各単位ポスト３７の嵌合溝８に変位吸収ユニット３を配置した態様である。図９（ｂ）は、前記連結ポスト３６の隣接する２面に単位ポスト３７，３７連結してＬ字形のポスト２を構成し、各単位ポスト３７の嵌合溝８に変位吸収ユニット３を配置した態様である。図９（ｃ）は、前記連結ポスト３６の３面に単位ポスト３７，…を連結してＴ字形のポスト２構成し、各単位ポスト３７の嵌合溝８に変位吸収ユニット３を配置した態様である。図９（ｄ）は、前記連結ポスト３６の対向する一対の面に単位ポスト３７，３７連結して直線状のポスト２を構成し、単位ポスト３７の嵌合溝８に変位吸収ユニット３を配置した態様である。この場合は、１本の連結ポスト３６と、同一形状の複数の単位ポスト３７，…を用意しておけば、各種の形態のポスト２を構成できる。
【００３３】
図１０に示した第４実施形態の複合構造物からなるポスト２は、前述の第３実施形態の連結ポスト３６の代わりに断面形状が円形の連結ポスト３８を用い、該連結ポスト３８に所定の角度、例えば９０度、１２０度、１８０度の角度で連結できる２〜４個の単位ポスト３９，…とからなるものである。図１０（ａ）は、前記連結ポスト３８に４つの単位ポスト３９，…を連結して十字形のポスト３を構成し、各単位ポスト３９の嵌合溝８に変位吸収ユニット３を装着した態様である。図１０（ｂ）は、前記連結ポスト３８に２つの単位ポスト３９，３９を１２０度の角度で連結して略Ｌ字形のポスト２を構成し、各単位ポスト３９の嵌合溝８に変位吸収ユニット３を装着した態様である。図１０（ｃ）は、前記連結ポスト３８に３つの単位ポスト３９，…を１２０度の角度で連結して略Ｔ字形のポスト２を構成し、各単位ポスト３９の嵌合溝８に変位吸収ユニット３を装着した態様である。図１０（ｄ）は、前記連結ポスト３８に２つの単位ポスト３９，３９を１８０度の角度で連結して直線状のポスト２を構成し、各単位ポスト３９の嵌合溝８に変位吸収ユニット３を装着した態様である。本実施形態も図９（ｂ）や図９（ｃ）のように、完全なＬ字形やＴ字形の形態にすることも可能である。
【００３４】
図１１に示した第５実施形態の複合構造物からなるポスト２は、嵌合溝８を備えた複数の単位ポスト４０，４０を直接連結したものであり、１２０度の角度で略Ｌ字形に直接連結した例を示した。この場合も、各単位ポスト４０の嵌合溝８に変位吸収ユニット３を装着する。
【符号の説明】
【００３５】
１  連結変位吸収ポスト装置、    ２  ポスト、
２Ａ  ポスト、                  ２Ｂ  ポスト、
２Ｃ  ポスト、                  ２Ｄ  ポスト、
３  変位吸収ユニット、          ４  壁面、
５  耐震性パネル、              ６  支柱、
７  縦枠部材、                  ８  嵌合溝、
９  支柱部、                    １０  可動部、
１１  パネル板、                １２  係止具、
１３  ガイド棒、                １５  中空杆体部、
１６  側面板、                  １７  凹溝、
１８  区画板、                  １９  挿通孔、
２０  逃がし孔、                ２１  基端板、
２２  外壁板、                  ２３  後退板、
２４  取付孔、                  ２５  螺孔、
２６  ネジ、                    ２７  ネジ、
２８  摺動部材、                ２９  クッション材、
３０  凹溝部、                  ３１  連結溝、
３２  接合面、                  ３３  嵌合部、
３４  キャップ、                ３５  突起部、
３６  連結ポスト、              ３７  単位ポスト、
３８  連結ポスト、              ３９  単位ポスト、
４０  単位ポスト。
【図１】
2016033291.tif 000003
【図２】
2016033291.tif 000004
【図３】
2016033291.tif 000005
【図４】
2016033291.tif 000006
【図５】
2016033291.tif 000007
【図６】
2016033291.tif 000008
【図７】
2016033291.tif 000009
【図８】
2016033291.tif 000010
【図９】
2016033291.tif 000011
【図１０】
2016033291.tif 000012
【図１１】
2016033291.tif 000013